(57)【要約】    【課題】  本発明は、浴場などで使用するシャンプー、リンスなどを載せる単体トレイ同志を連結しやすくし、且つ連結部に過度な力が加わった場合でも破損しにくい着脱自在な容器収納トレイを提供する。    【解決手段】  容器トレイの周壁面にトレイ連結用の嵌合凹部と嵌合凸部を設け、凹凸部を嵌め込んだ時に嵌合部の片側は嵌合し、もう一方は嵌合していない状態になる構造にして、連結部に過度な力が加わった場合には、嵌合部が破損する前に外れるようにする。    【選択図】図１
2008254771.tif 000002
【特許請求の範囲】
【請求項１】
物品の周壁面に一対以上の嵌合凹部と嵌合凸部を設けた連結部であって、該嵌合凹凸部を嵌合させた際に、上面部又は底面部は嵌合状態にあり、もう一方の底面部又は上面部は嵌合しない状態であることを特徴とする着脱自在な連結構造。
【請求項２】
前記嵌合凹部の突起又は嵌合凸部の突起のいずれかに、嵌合方向に沿って漸次拡がる又は狭まるテーパを形成した請求項１記載の着脱自在な連結構造。
【請求項３】
前記嵌合凹部の突起に嵌合方向に沿って漸次拡がるテーパを、前記嵌合凸部の突起に嵌合方向に沿って漸次狭まるテーパを形成した請求項１記載の着脱自在な連結構造。
【請求項４】
前記嵌合凹部の突起に嵌合方向に沿って漸次狭まるテーパを、前記嵌合凸部の突起に嵌合方向に沿って漸次拡がるテーパを形成した請求項１記載の着脱自在な連結構造。
【請求項５】
請求項1又は２記載の連結構造をもった着脱自在な容器トレイ。
【発明の詳細な説明】
【技術分野】
【０００１】
本発明は、シャンプーやコンディショナー、ボディソープなどの液体洗浄剤や液体化粧品の容器を連結する連結構造及びそれらの容器を収容する容器トレイに関する。
【背景技術】
【０００２】
ホテルやゴルフ場、健康ランドなどの温浴施設では、ボディソープ、シャンプー、コンディショナーの３種類の液体洗浄剤をアプリケーターと呼ばれる専用容器に充填して、このアプリケーターを平皿タイプのトレイに載せて設置するのが一般的である。例えば、実用新案登録第２１２８１３７号に記載のものが知られている。
【０００３】
しかし施設によっては、前記３種類の液体洗浄剤に別の洗浄剤を加えて４種類にしたい場合や、逆にボディソープとリンスインシャンプーだけに絞り込んだ２種類にしたい場合などいろんな要望が出てくる。このような場合、平皿タイプのトレイは大きさを可変できないため、トレイに載せるアプリケーターの本数に応じたサイズのトレイを新たに準備する必要があった。
【０００４】
そこで、アプリケーターを１本毎に収納する単体タイプのトレイを用意し、このトレイに嵌合用の凹凸部を設けて着脱自在な構造とした連結トレイが発明されている。例えば昭和４７年実用新案出願第１１１６４号に記載のものがある。
【特許文献１】実用新案登録第２１２８１３７号公報
【特許文献２】昭和４７年実用新案出願第１１１６４号
【発明の開示】
【発明が解決しようとする課題】
【０００５】
しかしながら温浴施設は一般的に清掃頻度が高く、清掃の度にアプリケーターを載せたまま連結トレイを移動させることになる。この移動の際に、連結部である嵌合凹凸部に過度の捩れ力が加わり、連結部が破損しやすい問題があった。
【０００６】
本発明は、このような問題を解決するために工夫されたものであり、１）設置したいアプリケーター本数に応じて単体トレイを連結できる、２）単体トレイ連結時は容易に嵌め込むことができる、３）トレイの連結部に過度な力が加わった場合でも破損しにくい、ことを目的とするものである。
【課題を解決するための手段】
【０００７】
上記課題を解決するために、本発明は次のように構成される。すなわち、請求項１記載の発明は、物品の周壁面に一対以上の嵌合凹部と嵌合凸部を設けた連結部であって、該嵌合凹凸部を嵌合させた際に、上面部又は底面部は嵌合状態にあり、もう一方の底面部又は上面部は嵌合しない状態である着脱自在な連結構造である。
【０００８】
請求項２記載の発明は、前記嵌合凹部の突起又は嵌合凸部の突起のいずれかに、嵌合方向に沿って漸次拡がる又は狭まるテーパを形成した請求項１記載の着脱自在な連結構造である。
【０００９】
請求項３記載の発明は、前記嵌合凹部の突起に嵌合方向に沿って漸次拡がるテーパを、前記嵌合凸部の突起に嵌合方向に沿って漸次狭まるテーパを形成した請求項１記載の着脱自在な連結構造である。請求項４記載の発明は、前記嵌合凹部の突起に嵌合方向に沿って漸次狭まるテーパを、前記嵌合凸部の突起に嵌合方向に沿って漸次拡がるテーパを形成し
た請求項１記載の着脱自在な連結構造である。
【００１０】
請求項５記載の発明は、請求項1〜３に記載の連結構造をもつ着脱自在な容器トレイである。
【発明の効果】
【００１１】
本発明によれば、周壁面に設けた嵌合凹凸部で複数個のトレイを連結させることにより、１）複数個の単体トレイを所望の数だけ自在に連結することができる。また嵌合部の凹凸部には嵌合するための充分なクリアランスを確保していることにより、２）連結時は容易に嵌め込むことができる。そして嵌合部の凹凸部には異なる方向に拡がるテーパを形成しているため嵌合部が簡単に外れる構造となっていることにより、３）連結部に過度な力が加わった場合でも連結部が破損することがない。
【発明を実施するための最良の形態】
【００１２】
（実施の形態１）本発明の一実施形態の着脱自在な容器トレイ（１００）は、例えば図１に示すように複数の容器トレイ（１００）を連結させて、該容器トレイ（１００）にアプリケーター（２００）を収容して用いるものである。
【００１３】
容器トレイ（１００）は、ポリエチレン、ポリプロピレン、ポリエチレンテレフタレートなどの使用目的に適応した熱可塑性樹脂を用いて、ダイレクトブロー成形法、インジェクション成形法、二軸延伸ブロー成形法などにより作製する。
【００１４】
容器トレイ（１００）は図２に示すように、周壁面に平均肉厚の内方に拡大する嵌合凹部（１１１）を設け、且つ、この周壁面と対応する周壁面に平均肉厚の外方に拡大する嵌合凸部（１１２）を設けるものである。
【００１５】
嵌合凹部（１１１）の側面図を図３に、嵌合凸部（１１２）の側面図を図４に示す。嵌合凹部（１１１）は上部から底面に向かって漸次拡がるテーパを形成し、嵌合凸部（１１２）には上部から底面に向かって漸次狭まるテーパを形成することにより、嵌合凹凸部を嵌合させた際に上面部は嵌合状態（図６参照）にあり、底面部は嵌合しない状態（図７参照）とする。また容器トレイに水が溜まるのを防止するために底板に水抜き孔（１１３）を設けても良い。
【００１６】
図２〜４に示すように嵌合凹部（１１１）の突起間寸法をａ、溝間寸法をｂ、嵌合凸部（１１２）の突起間寸法をｃ、溝間寸法をｄとし、上部側をａ１、ｂ１、ｃ１、ｄ１、底面側をａ２、ｂ２、ｃ２、ｄ２すると、次の３式を満たすような寸法関係になるように設計する。
（１）ｂ１＞ｃ２  且つ  ａ１＞ｄ２
（２）ｂ１＞ｃ１＞ａ１＞ｄ１
（３）ａ２＞ｃ２
実際の寸法例を表１に示す。
【００１７】
【表１】
2008254771.tif 000003
【００１８】
（１）式は、連結されていないトレイ同士を嵌合させる時の凹凸寸法関係で、具体的には嵌合凹部（１１１）の上部に対し、嵌合凸部（１１２）の底面側を嵌め込む時に必須となる寸法関係である。表１の寸法例の場合、図５に示すような状態になる。嵌合を成立させるために「ｂ１＞ｃ２」及び「ａ１＞ｄ２」の寸法条件は必須であり、例えば「ｂ１＜＝ｃ２」又は「ａ１＜＝ｄ２」とすると、凸部が凹部より大きくなり嵌め込みができなくなる。またできうれば、「ｂ１−ｃ２」及び「ａ１−ｄ２」のクリアランス量を３ｍｍ以上確保すれば嵌め込みが容易となり、「ｃ２＞ａ１」とすれば凹部の突起が凸部の突起のストッパーとなり、嵌め込む際に嵌合部が外れにくくなり望ましい。
【００１９】
（２）式は、連結（嵌合）した後のトレイ上面部の寸法関係である。表１の寸法例の場合、図６に示すような状態になる。嵌合状態を維持させるために「ｂ１＞ｃ１＞ａ１＞ｄ１」の寸法条件は必須であり、例えば「ｂ１＜＝ｃ１」又は「ａ１＜＝ｄ１」とすると凸部が凹部より大きくなり嵌め込みができなくなり、「ｃ１＜＝ａ１」とすると凹部の突起がストッパー機能を果たさなくなり嵌合部が外れやすくなる。できうれば「ｃ１＞ａ１」の条件に加え、「ｃ１＞（ａ１＋ｂ１）／２」の条件を満たしておけば、凸部の突起が凹部溝の片側に偏った場合でも凹部の突起がストッパー機能を果たし、嵌合部がより外れにくくなる。
【００２０】
（３）式は、連結（嵌合）した後のトレイ底面部の寸法関係である。表１の寸法例の場合、図７に示すような状態になる。こちら側は嵌合していない状態を維持するために「ａ２＞ｃ２」の寸法条件が必須である。
【００２１】
このように嵌合後の状態は、トレイ上面部は嵌合状態が維持されている一方、底面部は嵌合していない状態であることから、嵌合部（連結部）に過度な力が加わった場合には、嵌合していないトレイの底面部を基点に嵌合部が簡単に外れる構造となっている。
【００２２】
以上、容器トレイについて説明したが、ボディソープ、シャンプーなどの容器に直接本発明の着脱自在な連結構造を設けても良い。
【図面の簡単な説明】
【００２３】
【図１】本発明の一実施形態を表す、着脱自在なトレイにアプリケーターを載せ、トレイ同士を連結したときの状態を示す説明図である。
【図２】図１に示す着脱自在な容器トレイの上面図である。
【図３】図２に示す着脱自在な容器トレイの嵌合凹部を表す側面図である。
【図４】図２に示す着脱自在な容器トレイの嵌合凸部を表す側面図である。
【図５】嵌合凹部の上部に対し嵌合凸部の底面側を嵌め込む時の断面構造図
【図６】嵌合凹凸部を嵌合した後のトレイ上面部の断面構造図
【図７】嵌合凹凸部を嵌合した後のトレイ底面部の断面構造図
【符号の説明】
【００２４】
１００……着脱自在な容器トレイ
２００……アプリケーター
１１１……嵌合凹部
１１２……嵌合凸部
１１３……水抜き孔
１１４……嵌合凹部突起
１１５……嵌合凹部溝
１１６……嵌合凸部突起
１１７……嵌合凸部溝
【図１】
2008254771.tif 000004
【図２】
2008254771.tif 000005
【図３】
2008254771.tif 000006
【図４】
2008254771.tif 000007
【図５】
2008254771.tif 000008
【図６】
2008254771.tif 000009
【図７】
2008254771.tif 000010